【誤訳訂正書】
【提出日】平成27年10月30日(2015.10.30)
【誤訳訂正１】
【訂正対象書類名】明細書
【訂正対象項目名】全文
【訂正方法】変更
【訂正の内容】
【発明の詳細な説明】
【発明の名称】フィードバック情報の転送方法、システム及び設備
【技術分野】
【０００１】
本出願は２０１１年１１月２日に中国特許局に提出し、出願番号が２０１１１０３４１８１８．６であり、発明名称が「フィードバック情報の伝送方法、システムおよび設備」である中国特許出願を基礎とする優先権を主張し、その開示の総てをここに取り込む。
本発明は無線通信技術分野に関し、特にフィードバック情報の伝送方法、システムおよび設備に関する。
【背景技術】
【０００２】
現在のロング・ターム・エボリューション（Ｌｏｎｇ  Ｔｅｒｍ  Ｅｖｏｌｕｔｉｏｎ，ＬＴＥ）システムは、図１ａが示すように、１つのセルには１つのキャリアしか存在できず、最大帯域幅は２０Ｍｈｚである。
【０００３】
ロング・ターム・エボリューション・アドバンスト（ＬＴＥ−Ａｄｖａｎｃｅｄ，ＬＴＥ−Ａ）システムについて、ＬＴＥ−Ａシステムのピーク速度はＬＴＥシステムに比べて大きく向上し、ＬＴＥ−Ａシステムは、ダウンリンク１Ｇｂｐｓ、アップリンク５００Ｍｂｐｓにまで達することを要求する。当然、２０Ｍｈｚの帯域幅では既にこのようなニーズに応えることはできない。ＬＴＥ−Ａシステムが要求に合致できるようにするため、キャリア・アグリゲーション（Ｃａｒｒｉｅｒ  Ａｇｇｒｅｇａｔｉｏｎ，ＣＡ）技術を導入した。即ち、同一セルにおいて、連続または非連続の複数キャリアを１つに束ね、必要な時に、同時に端末へサービスを提供し、必要な速度を提供するようにした。よって、ＬＴＥ−Ａシステムは、マルチキャリアシステムである。ＬＴＥ−Ａシステムの端末がアグリゲーションされたキャリア毎で動作することを確保するため、各キャリアは最大２０Ｍｈｚを超えない。ＬＴＥ−ＡのＣＡ技術を図１Ｂに示す。
【０００４】
図１ＢにおけるＬＴＥ−Ａシステムにおいて、４つのキャリアをアグリゲーションさせる。基地局は、４つのキャリアにおいて端末とデータを同時伝送することにより、システムスループットを高める。
【０００５】
周波数分割複信（Ｆｒｅｑｕｅｎｃｙ  Ｄｉｖｉｓｉｏｎ  Ｄｕｐｌｅｘ，  ＦＤＤ）システムについて、ユーザー設備（Ｕｓｅｒ  Ｅｑｕｉｐｍｅｎｔ，ＵＥ）は、第ｎ−４サブフレームにてダウンリンクデータを受信し、第ｎアップリンクサブフレームにてダウンリンクサブフレーム上のデータ再送が必要か否かのシグナル（即ち、確認／非確認（Ａｃｋｎｏｗｌｅｄｇｅｍｅｎｔ／Ｎｏｔ−ａｃｋｎｏｗｌｅｄｇｅｍｅｎｔ，ＡＣＫ／ＮＡＣＫ））をフィードバックする。キャリア・アグリゲーションの時、第ｎ−４サブフレームにて複数ダウンリンクキャリアに対応するＡＣＫ／ＮＡＣＫ情報を、アップリンクサブフレームｎにて同時フィードバックする。  
【０００６】
時間分割復信（Ｔｉｍｅ  Ｄｉｖｉｓｉｏｎ  Ｄｕｐｌｅｘ，ＴＤＤ）システムについて、ＵＥは、おそらく１つのアップリンクサブフレームにて複数ダウンリンクサブフレームに対応するＡＣＫ／ＮＡＣＫ情報をフィードバックする。即ち、ＵＥは、第ｎ-ｋダウンリンクサブフレーム上のデータに対する復調、復号を終了後、アップリンクサブフレームｎにて基地局へ当該ダウンリンクサブフレーム上のデータ再送が必要か否かのシグナル（即ち、ＡＣＫ／ＮＡＣＫ）をフィードバックする。ｋは集合Ｋの要素、集合Ｋの値とシステムのアップ／ダウンリンク構造および具体的なサブフレーム番号は関連する。詳細は表１を参照。
【０００７】
【表１】
2015501610.tif 000001
【０００８】
複数無線フレームは順番に配列する。即ち、もし無線フレームａにおける最後のサブフレームがＫであれば、無線フレームａ＋１における最初のサブフレームはｋ＋１となる。表１は無線フレームのみを例とし、各アップリンクサブフレームに対応するｋの情況を示している。ここで、ｎ−ｋ＜０であれば、前の無線フレームにおけるダウンリンクサブフレームであることを指す。
【０００９】
ＬＴＥシステムにおいて、ＵＥは、基地局へチャネル状態情報（Ｃｈａｎｎｅｌ  Ｓｔａｔｅ  Ｉｎｆｏｒｍａｔｉｏｎ，ＣＳＩ）をフィードバックしなければならない。基地局は、ＵＥがフィードバックしたＣＳＩを用いて、ダウンリンクダイナミック・スケジューリングを行う。  
【００１０】
トリガーメカニズムの違いに基づき、ＣＳＩを周期ＣＳＩと非周期ＣＳＩの二種類に分ける。周期ＣＳＩの報告周期および周期内のオフセットは、基地局から無線リソース制御（Ｒａｄｉｏ  Ｒｅｓｏｕｒｃｅ  Ｃｏｎｔｒｏｌ，ＲＲＣ）シグナルにより半静的設定する。ＵＥは、配置情報に基づき特定のアップリンクサブフレームにてＣＳＩを伝送する。伝送するアップリンクデータがないサブフレームにおいて、周期ＣＳＩは、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）を用いて伝送し、かつ周期ＣＳＩを伝送するＰＵＣＣＨリソースは基地局より半静的設定する。  
【００１１】
ＬＴＥ−Ａ  リリース１０（Ｒｅｌｅａｓｅ−１０，Ｒｅｌ−１０）のキャリア・アグリゲーションシステムにおいて、異なるコンポーネントキャリアの周期ＣＳＩパラメータを独立設定し、ＵＥは、各報告サブフレーム内にてコンポーネントキャリアの周期ＣＳＩのみをフィードバックする。もし、複数コンポーネントキャリアの周期ＣＳＩに衝突があれば、予定の優先順位に従い、優先順位が最高の周期ＣＳＩをフィードバックする。
【００１２】
非周期ＣＳＩは、基地局からダウンリンクスケジューリングシグナリングによりトリガーする。ＵＥは、トリガーされたシグナリングを受信後にのみＣＳＩ報告を行い、物理アップリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）を用いて非周期ＣＳＩを伝送する。ＵＥは、基地局のトリガー情況に基づき、複数コンポーネントキャリアの非周期ＣＳＩを同時に報告できる。
【先行技術文献】
【特許文献】
【００１３】
【特許文献１】中国特許出願公開第１０２３４７８２５号明細書
【発明の概要】
【発明が解決しようとする課題】
【００１４】
ＬＴＥ−Ａ  Ｒｅｌ−１１システムにおいて、システムダウンリンク伝送の効率を高め、周期ＣＳＩの破棄率を減らすため、マルチキャリアシステムＡＣＫ／ＮＡＣＫ情報と周期ＣＳＩの同時フィードバックを支援することが必要である。しかし、現在マルチキャリアシステムＡＣＫ／ＮＡＣＫと周期ＣＳＩの同時フィードバック方案は無い。
【課題を解決するための手段】
【００１５】
本発明に係る実施形態は、マルチキャリアシステムＡＣＫ／ＮＡＣＫと周期ＣＳＩの同時フィードバックを実現する、フィードバック情報の伝送方法、システムおよび設備を提供する。  
【００１６】
本発明に係るフィードバック情報の送信方法は、ユーザー設備が、第２フィードバック情報周期報告サブフレームにおける第１フィードバック情報に対応するＰＵＣＣＨリソースを確認するステップと、前記ユーザー設備が、確認したＰＵＣＣＨリソースに基づき、伝送しなければならない、第１フィードバック情報を含むフィードバック情報を確認し、かつ前記第１フィードバック情報に対応するＰＵＣＣＨリソースにより伝送するステップとを備える。
【００１７】
本発明の実施例に係るフィードバック情報の受信方法は、ネットワーク側設備が、第２フィードバック情報周期報告サブフレームにおける第１フィードバック情報に対応するＰＵＣＣＨリソースに基づき、ユーザー設備が送信しなければならないフィードバック情報タイプを確認するステップと、前記ネットワーク側設備が、確認したフィードバック情報タイプに基づき、確認したＰＵＣＣＨリソース上で前記ユーザー設備が送信したフィードバック情報を受信するステップとを備える。  
【００１８】
本発明の実施例に係るフィードバック情報送信ユーザー設備は、第２フィードバック情報周期報告サブフレームにおける第１フィードバック情報に対応するＰＵＣＣＨリソースを確認する、第１確認モジュールと、確認したＰＵＣＣＨリソースに基づき、伝送しなければならない第１フィードバック情報を含むフィードバック情報を確認し、かつ前記第１フィードバック情報に対応するＰＵＣＣＨリソースにより伝送する、送信モジュールとを備える。  
【００１９】
本発明の実施例に係るフィードバック情報受信ユーザー設備は、第２フィードバック情報周期報告サブフレームにおける第１フィードバック情報に対応するＰＵＣＣＨリソースに基づき、ユーザー設備が送信しなければならないフィードバック情報タイプを確認する、第２確認モジュールと、確認したフィードバック情報タイプに基づき、確認したＰＵＣＣＨリソース上で前記ユーザー設備が送信したフィードバック情報を受信する、受信モジュールとを備える。
【００２０】
本発明の実施例に係るフィードバック情報の伝送システムは、第２フィードバック情報周期報告サブフレームにおける第１フィードバック情報に対応するＰＵＣＣＨリソースを確認し、確認したＰＵＣＣＨリソースに基づき、伝送しなければならない第１フィードバック情報を含むフィードバック情報を確認し、かつ前記第１フィードバック情報に対応するＰＵＣＣＨリソースにより伝送するユーザー設備と、ここで前記フィードバック情報は第１フィードバック情報を含む、第２フィードバック情報周期報告サブフレームにおける第１フィードバック情報に対応するＰＵＣＣＨリソースに基づき、ユーザー設備が送信しなければならないフィードバック情報タイプを確認し、確認したフィードバック情報タイプに基づき、確認したＰＵＣＣＨリソース上で前記ユーザー設備が送信したフィードバック情報を受信する、ネットワーク側設備とを備え、前記フィードバック情報は、第１フィードバック情報を含む。
【発明の効果】
【００２１】
ユーザー設備は、第２フィードバック情報周期報告サブフレームにおける第１フィードバック情報に対応するＰＵＣＣＨリソースに基づき、第１フィードバック情報を含むフィードバック情報を確認し、かつ確認したＰＵＣＣＨリソースにより伝送する。これにより、マルチキャリアシステムＡＣＫ／ＮＡＣＫと周期ＣＳＩの同時フィードバックを実現し、さらに、共同フィードバック過程においてＡＣＫ／ＮＡＣＫの効率を効果的に保証する前提において、ＣＳＩの破棄回数を減らし、システムダウンリンク伝送の性能を高める。  
【図面の簡単な説明】
【００２２】
【図１Ａ】背景技術における単一スペクトルシステムを示す図である。
【図１Ｂ】背景技術におけるスペクトル・アグリゲーションシステムを示す図である。
【図２】本発明の実施形態におけるフィードバック情報の伝送システム構造を示す図である。
【図３】本発明の実施形態における第１種優先順位に従った選択を示す図である。
【図４】本発明の実施形態における第２種優先順位に従った選択を示す図である。
【図５】本発明の実施形態におけるユーザー設備の構造を示す図である。
【図６】本発明の実施形態におけるネットワーク側設備の構造を示す図である。
【図７】本発明の実施形態におけるフィードバック情報の送信方法のフロー図である。
【図８】本発明の実施形態におけるフィードバック情報の受信方法のフロー図である。
【発明を実施するための形態】
【００２３】
背景技術においてマルチキャリアシステムＡＣＫ／ＮＡＣＫと周期ＣＳＩの同時フィードバック案が無いことに対して、本発明に係るユーザー設備は、第２フィードバック情報周期報告サブフレームにおける第１フィードバック情報に対応するＰＵＣＣＨリソースに基づき、第１フィードバック情報を含むフィードバック情報を確認し、かつ確認したＰＵＣＣＨリソースにより伝送することにより、マルチキャリアシステムＡＣＫ／ＮＡＣＫと周期ＣＳＩの同時フィードバックを実現する。  
【００２４】
実施過程において、本発明の実施形態における第１フィードバック情報は、ダウンリンクキャリアに対するフィードバック情報、即ちＡＣＫ／ＮＡＣＫ情報でも良い。第２フィードバック情報はＣＳＩでも良い。  
【００２５】
説明が必要な点は、本発明に係る第１フィードバック情報と第２フィードバック情報は、前記ＡＣＫ／ＮＡＣＫ情報とＣＳＩに限らず、その他のフィードバック情報を送信する報告サブフレームにより送信しなければならないフィードバック情報は、同様に本発明の実施形態における第１フィードバック情報とすることができることと、その他の周期報告特性を有するフィードバック情報は、同様に本発明の実施形態における第２フィードバック情報とすることができることである。  
【００２６】
以下に図面と結合して本発明の実施形態を詳細に説明する。  
【００２７】
以下の説明過程において、まず、ネットワーク側とユーザー設備側の協力実施を説明し、最後は、それぞれネットワーク側とユーザー設備側の実施を説明する。但し、ネットワーク側とユーザー設備側を必ず組み合わせて実施する必要はないことにご留意。実際は、ネットワーク側とユーザー設備側が分けて実施する際もそれぞれネットワーク側、ユーザー設備側に存在する問題を解決できる。つまり、両者を合わせて使用するとより高い技術効果を得ることができる。  
【００２８】
図２に示すように、本発明に係るフィードバック情報の伝送システムは、ユーザー設備１０とネットワーク側設備２０とを備える。
【００２９】
ユーザー設備１０は、第２フィードバック情報周期報告サブフレームにおける第１フィードバック情報に対応するＰＵＣＣＨリソースを確認し、確認したＰＵＣＣＨリソースに基づき、伝送しなければならない第１フィードバック情報を含むフィードバック情報を確認する（ここでの第１フィードバック情報は、具体的内容を含むフィードバック情報を指す。例、ＡＣＫ／ＮＡＣＫ情報および具体的内容）。かつ第１フィードバック情報に対応するＰＵＣＣＨリソースにより伝送する。  
【００３０】
ネットワーク側設備２０は、第２フィードバック情報周期報告サブフレームにおける第１フィードバック情報に対応するＰＵＣＣＨリソースに基づき、ユーザー設備１０が送信しなければならないフィードバック情報タイプを確認する。さらに確認したフィードバック情報タイプに基づき確認したＰＵＣＣＨリソース上でユーザー設備が送信したフィードバック情報を受信する。  
【００３１】
好ましくは、ネットワーク側設備２０は、ユーザー設備１０が送信しなければならない第１フィードバック情報（ここでの第１フィードバック情報はフィードバック情報タイプを指す。例、ＡＣＫ／ＮＡＣＫ情報）を含むフィードバック情報タイプを確認する。  
【００３２】
好ましくは、ユーザー設備１０は、ネットワーク側が配置した第１フィードバック情報伝送モードおよび受信したダウンリンクデータに基づき、第１フィードバック情報に対応するＰＵＣＣＨリソース確認する。これに応じて、ネットワーク側設備２０は、ユーザー設備１０に設定した第１フィードバック情報伝送モードおよびユーザー設備１０へ送信したダウンリンクデータに基づき、第１フィードバック情報に対応するＰＵＣＣＨリソースを確認する。  
【００３３】
具体的に、ＦＤＤシステムについて、もしユーザー設備１０がＰＵＣＣＨフォーマット３を用いて第１フィードバック情報を伝送し、かつ、ユーザー設備１０が、メインキャリアにてのみダウンリンクダイナミック・スケジューリング物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）またはダウンリンク半持続スケジューリング−物理ダウンリンクリンク共有チャネル（Ｓｅｍｉ−Ｐｅｒｓｉｓｔｅｎｔ  Ｓｃｈｅｄｕｌｅ−Ｐｈｙｓｉｃａｌ  Ｄｏｗｎｌｉｎｋ  Ｓｈａｒｅｄ  Ｃｈａｎｎｅｌ，ＳＰＳ−ＰＤＳＣＨ）を受信するように設定されていれば、第１フィードバック情報に対応するＰＵＣＣＨリソースをＰＵＣＣＨフォーマット１ａまたはＰＵＣＣＨフォーマット１ｂに対応するリソースとする。そうでなければ、第１フィードバック情報に対応するＰＵＣＣＨリソースをＰＵＣＣＨフォーマット３に対応するリソースとする。  
【００３４】
ＦＤＤシステムについて、もしユーザー設備１０が、ＰＵＣＣＨフォーマット１ａまたはＰＵＣＣＨフォーマット１ｂまたはＰＵＣＣＨフォーマット１ｂに基づくチャネル選択方法を用いて第１フィードバック情報を伝送するように配置されていれば、第１フィードバック情報に対応するＰＵＣＣＨリソースをＰＵＣＣＨフォーマット１ａまたはＰＵＣＣＨフォーマット１ｂに対応するリソースとする。  
【００３５】
ＴＤＤシステムについて、もしユーザー設備１０がＰＵＣＣＨフォーマット３を用いて第１フィードバック情報を伝送し、ユーザー設備１０が、メインキャリアにてのみダウンリンクダイナミック・スケジューリングＰＤＣＣＨを受信し、かつこの内のダウンリンク割当インデクス（Ｄｏｗｎｌｉｎｋ  ａｓｓｉｇｎｍｅｎｔ  ｉｎｄｅｘ，ＤＡＩ）情報域の値を１および／またはダウンリンク半持続スケジューリングＳＰＳ−ＰＤＳＣＨとするように配置されていれば、第１フィードバック情報に対応するＰＵＣＣＨリソースをＰＵＣＣＨフォーマット１ａまたはＰＵＣＣＨフォーマット１ｂに対応するリソースとする。そうでなければ、第１フィードバック情報に対応するＰＵＣＣＨリソースをＰＵＣＣＨフォーマット３に対応するリソースとする。
【００３６】
ＴＤＤシステムについて、もしユーザー設備１０がＡＣＫ／ＮＡＣＫ合併、ＡＣＫ／ＮＡＣＫ多重化方法またはＰＵＣＣＨフォーマット１ｂに基づくチャネル選択方法を用いて第１フィードバック情報を伝送するように設定されていれば、第１フィードバック情報に対応するＰＵＣＣＨリソースをＰＵＣＣＨフォーマット１ａまたはＰＵＣＣＨフォーマット１ｂに対応するリソースとする。  
【００３７】
実施において、ユーザー設備１０は、第１フィードバック情報と第２フィードバック情報とを同時送信するか否かを確認しなければならない。もし第１フィードバック情報と第２フィードバック情報を同時送信する必要がなければ、第１フィードバック情報のみを送信する。即ち、確認したＰＵＣＣＨリソースに基づき、伝送しなければならないフィードバック情報が第１フィードバック情報であると確認する。  
【００３８】
これに応じて、ネットワーク側設備２０は、ユーザー設備１０が第１フィードバック情報と第２フィードバック情報を同時送信するか否かを確認しなければならない。もし第１フィードバック情報と第２フィードバック情報を同時送信する必要がなければ、ユーザー設備１０が第１フィードバック情報のみを送信することを確認する。  
【００３９】
好ましくは、もし第１フィードバック情報に対応するＰＵＣＣＨリソースが大容量ＰＵＣＣＨに用いるリソースであれば、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備える。ユーザー設備１０は、伝送しなければならない第１フィードバック情報と第２フィードバック情報を伝送しなければならないことを確認する。  
【００４０】
これに応じて、もし第１フィードバック情報に対応するＰＵＣＣＨリソースが大容量ＰＵＣＣＨに用いるリソースであれば、ネットワーク側設備２０は、ユーザー設備１０が送信しなければならないフィードバック情報タイプに第１フィードバック情報を含むことを確認する。  
【００４１】
つまり、第１フィードバック情報に対応するＰＵＣＣＨリソースが大容量ＰＵＣＣＨに用いるリソースであれば、ユーザー設備１０は必ず第１フィードバック情報を送信すると確認できるが、第２フィードバック情報を同時送信するか否かはさらに判断しなければならない。もし第２フィードバック情報を伝送する必要はないと確認すれば、確認したＰＵＣＣＨリソースに基づき伝送しなければならないフィードバック情報が第１フィードバック情報であると確認する。もし第２フィードバック情報を伝送しなければならないと確認すれば、確認したＰＵＣＣＨリソースに基づき、伝送しなければならないフィードバック情報が第１フィードバック情報と第２フィードバック情報であると確認する。具体的な判断内容を以下に説明する。  
【００４２】
好ましくは、もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するならば、ユーザー設備１０は、伝送しなければならない第１フィードバック情報のみを確認し、第２フィードバック情報を破棄する。ここで小容量ＰＵＣＣＨは、ＰＵＣＣＨフォーマット１ａまたはＰＵＣＣＨフォーマット１ｂを備える。  
【００４３】
これに応じて、もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するならば、ネットワーク側設備２０は、ユーザー設備１０が送信しなければならないフィードバック情報タイプに第１フィードバック情報のみを含むことを確認する。  
【００４４】
つまり、第１フィードバック情報に対応するＰＵＣＣＨリソースが小容量ＰＵＣＣＨに用いるリソースであるかまたはＰＵＣＣＨフォーマット１ｂに基づくチャネル選択方法を用いて第１フィードバック情報を伝送するならば、ユーザー設備１０が第１フィードバック情報のみを送信し、第２フィードバック情報を送信しないと確認できる。  
【００４５】
好ましくは、ネットワーク側がリソースを割当てやすくするため、更に新しい機能を追加設定することができる。具体的に、ネットワーク側設備２０は、まず必要に応じて、ユーザー設備１０が第１フィードバック情報と第２フィードバック情報を同時送信できるか否かを設定できる。これに応じて、ユーザー設備１０は、ネットワーク側の設定に基づき、第１フィードバック情報と第２フィードバック情報を同時伝送できると確認した際、第１フィードバック情報と第２フィードバック情報を同時伝送するか否かをさらに判断する。もしネットワーク側の設定に基づき、第１フィードバック情報と第２フィードバック情報を同時伝送できないと確認すれば、いかなる判断も必要なく、第１フィードバック情報のみを送信すればよい。  
【００４６】
好ましくは、ユーザー設備１０が、第１フィードバック情報と第２フィードバック情報を同時送信すると確認後、第１フィードバック情報を事前処理できる。これに応じて、ネットワーク側設備２０は、ユーザー設備１０が第１フィードバック情報と第２フィードバック情報を同時送信しなければならないと確認した際、ユーザー設備１０が第１フィードバック情報を事前処理することを確認する。  
【００４７】
ここで、事前処理は、以下の処理における少なくとも１つを含む。但し、これに限らない。  
【００４８】
圧縮処理と符号化処理  
〈圧縮処理〉
第１フィードバック情報を合併処理することにより、伝送待機のフィードバック情報ビット数量を低減させる。
〈符号化処理〉
第１フィードバック情報をチャネル符号化することにより、第１フィードバック情報伝送の信頼性を高める。  
【００４９】
好ましくは、ユーザー設備１０は、ネットワーク側設定またはプロトコル規定に基づき、第１フィードバック情報を事前処理しなければならないと確認する。具体的に、第１フィードバック情報を事前処理するか否かは、ネットワーク側設備２０により設定するか、またはシステムより事前定義できる。もしシステムが多様な事前処理方法を支援するならば、ネットワーク側設備２０は、さらにシグナリングにより用いる事前処理方法を指示することができる。以下にいくつか指示方法を説明する。
【００５０】
〈指示方法１〉
ネットワーク側設備２０は、シグナリングにより第１フィードバック情報を圧縮するか否かを指示する。指示が「圧縮する」の時、事前定義方法に従いＡＣＫ／ＮＡＣＫを圧縮する。指示が「圧縮しない」の時は、圧縮しない。  
【００５１】
〈指示方法２〉
ネットワーク側設備２０は、シグナリングによりユーザー設備１０が伝送できる第１フィードバック情報の最大ビット数Ｍを通知する。もし実際にフィードバックした第１フィードバック情報のビット数≦Ｍであれば、圧縮処理する必要はない。もし実際にフィードバックした第１フィードバック情報のビット数≧Μであれば、事前定義した方法に従い圧縮する。  
【００５２】
〈指示方法３〉
もしシステムは圧縮と符号化の２種類の事前処理方式を支援し、ネットワーク側設備２０がシグナリングにより「圧縮」を指示する時、事前定義方法に従いＡＣＫ／ＮＡＣＫを圧縮する。もし、「符号化」を指示する時は、事前定義方法に従いＡＣＫ／ＮＡＣＫを符号化する。  
【００５３】
好ましくは、もしユーザー設備１０が、第１フィードバック情報のみを伝送する（第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送することにより、第１フィードバック情報のみを伝送すればよいと確認することを含む。さらに、第１フィードバック情報に対応するＰＵＣＣＨリソースが大容量ＰＵＣＣＨに用いるリソースであるが、さらなる判断に基づき第１フィードバック情報のみを伝送すると確認することを含む）ならば、ユーザー設備１０は第１フィードバック情報を事前処理する必要がなく、事前処理していない第１フィードバック情報のみを伝送すれば良い。ネットワーク側設備２０は、ユーザー設備が事前処理していない第１フィードバック情報を伝送すると確認する。つまり、この時の伝送方法は第１フィードバック情報を単独で伝送する時と同じである。  
【００５４】
実施において、第１フィードバック情報に対応するＰＵＣＣＨリソースが大容量ＰＵＣＣＨに用いるリソースであるという情況では、第２フィードバック情報と第１フィードバック情報を同時送信するか否かをさらに判断する方法を以下にいくつか説明する。  
【００５５】
〈判断方法１〉
送信ビット数と閾値比較する。
【００５６】
具体的に、もし第２フィードバック情報のビット数と事前処理した第１フィードバック情報のビット数の和が閾値以下であれば、ユーザー設備１０は第２フィードバック情報と事前処理した第１フィードバック情報を同時伝送する（これに応じて、ネットワーク側設備２０は、ユーザー設備１０が第２フィードバック情報と事前処理した第１フィードバック情報を同時伝送すると確認する）。  
【００５７】
もし第２フィードバック情報のビット数と事前処理した第１フィードバック情報のビット数の和が閾値以上であれば、ユーザー設備１０は、第１フィードバック情報のみを伝送するか、または一部の第２フィードバック情報と事前処理した第１フィードバック情報を伝送する。ここで、一部の第２フィードバック情報のビット数と事前処理した第１フィードバック情報のビット数の和は、閾値以下である（これに応じて、ネットワーク側設備２０は、ユーザー設備１０が第１フィードバック情報のみを伝送するか、または一部の第２フィードバック情報と事前処理した第１フィードバック情報を伝送すると確認する）。  
【００５８】
ここで、前記閾値は、ネットワーク側設定またはプロトコルより規定される。
【００５９】
好ましくは、ユーザー設備１０とネットワーク側設備２０は、情報の優先順位に基づき一部の第２フィードバック情報を選択する。  
【００６０】
具体的に、ユーザー設備１０とネットワーク側設備２０は、事前定義した優先順位に従い伝送待機の第２フィードバック情報から優先順位の高い情報を選択し、事前処理後の第１フィードバック情報と同時伝送する。また、選択した第２フィードバック情報と事前処理後の第１フィードバック情報のビット数の和は、閾値以下である。  
【００６１】
例えば、優先権の優先順のみ考慮してよいのであれば、図３が示すように、第２フィードバック情報を優先順位に従い３つに分ける。優先順位が最も高い部分の長さをＳ１とし、優先順位２番目部分の長さをＳ２とし、優先順位が最も低い部分の長さをＳ３とする。Ａ＋Ｓ１＜Ｈ、但しＡ＋Ｓ１＋Ｓ２＞Ｈであれば、優先順位１位のＣＳＩのみが事前処理後のＡＣＫ／ＮＡＣＫ情報と同時に伝送される。当該方法にて、もしＳ１＋Ａ＞Ｈであれば、第２フィードバック情報は伝送されず、ＵＥは、ＡＣＫ／ＮＡＣＫ情報のみを伝送する。  
【００６２】
例えば、優先権の優先順位と各部分の第２フィードバック情報の大きさのみ考慮してよいのであれば、図４が示すように、Ａ＋Ｓ＜Ｈ、Ａ＋Ｓ１＋Ｓ２＞Ｈ。但し、更に比較後に、Ａ＋Ｓ１＋Ｓ３＜Ｈであれば、優先順位１位と３位のＣＳＩと事前処理後のＡＣＫ／ＮＡＣＫ情報を同時伝送する。  
【００６３】
〈判断方法２〉
送信ビット数と伝送ビット数を比較する。  
【００６４】
具体的に、もし第２フィードバック情報を伝送しなければならないビット数が伝送できる第２フィードバック情報のビット数以下であれば、ユーザー設備１０は、第２フィードバック情報と事前処理した第１フィードバック情報を同時伝送する。（これに応じて、ネットワーク側設備２０は、ユーザー設備１０が第２フィードバック情報と事前処理した第１フィードバック情報を同時伝送すると確認する）。  
【００６５】
もし第２フィードバック情報を伝送しなければならないビット数が伝送できる第２フィードバック情報のビット数より大きければ、ユーザー設備１０は第１フィードバック情報のみを伝送するか、または一部の第２フィードバック情報と事前処理した第１フィードバック情報を伝送する。ここで、一部の第２フィードバック情報のビット数は、伝送できる第２フィードバック情報のビット数以下である。（これに応じて、ネットワーク側設備２０は、ユーザー設備１０が第１フィードバック情報のみを伝送するか、または一部の第２フィードバック情報と事前処理した第１フィードバック情報を伝送すると確認する）。  
【００６６】
好ましくは、ユーザー設備１０とネットワーク側設備２０は、以下のステップに基づき、第２フィードバック情報を伝送できるビット数を確認する。  
【００６７】
ネットワーク側の設定またはプロトコル規定に基づき、第２フィードバック情報を伝送できるビット数を確認する。  
【００６８】
または、ＰＵＣＣＨにおける第２フィードバック情報を伝送する符号化ビット数を、第２フィードバック情報を伝送できるビット数とする。  
【００６９】
または、ＰＵＣＣＨにおいて第２フィードバック情報を伝送する符号化ビット数と第２フィードバック情報の目標ビットレートの積を、第２フィードバック情報を伝送できるビット数とする。ここで、第２フィードバック情報の目標ビットレートは、ネットワーク側設定またはプロトコル規定より確定する。例えば、ＰＵＣＣＨにて伝送するＣＳＩの最大数がＬとすれば、Ｌ＝ＹまたはＬ＝ｒCSI・Ｙであり、基地局はＣＳＩの目標ビットレートｒCSI を設定する。ここで、ＹをＰＵＣＣＨにおいてＣＳＩを伝送する符号化ビット数量とする。  
【００７０】
好ましくは、前記ＰＵＣＣＨにおいて第２フィードバック情報を伝送する符号化ビット数に対して、ユーザー設備１０とネットワーク側設備２０は以下のステップに基づき、ＰＵＣＣＨにおいて第２フィードバック情報を伝送する符号化ビット数を確認する。  
【００７１】
ＰＵＣＣＨにおける情報を伝送する総符号化ビット数とＰＵＣＣＨにおける第１フィードバック情報を伝送する符号化ビット数の差を、ＰＵＣＣＨにおける第２フィードバック情報を伝送する符号化ビット数とする。  
【００７２】
例えば、Ｙ＝Ｚ−Ｘ。ここで、ＸをＰＵＣＣＨにおけるＡＣＫ／ＮＡＣＫ情報を伝送する符号化ビット数量とする。Ｘは基地局から設定でき、また事前処理後のＡＣＫ／ＮＡＣＫ情報のビット数に基づき、確認できる。ＺをＰＵＣＣＨが伝達できる最大符号化ビット数量とする。Ｚは、基地局からシグナリングにより設定でき、またシステムから事前定義もできる。  
【００７３】
好ましくは、前記ＰＵＣＣＨにおける第１フィードバック情報を伝送する符号化ビット数に対して、ユーザー設備１０とネットワーク側設備２０は以下のステップに基づき、ＰＵＣＣＨにおいて第１フィードバック情報を伝送する符号化ビット数を確認する。  
【００７４】
ネットワーク側の設定またはプロトコル規定に基づき、ＰＵＣＣＨにおける第１フィードバック情報を伝送する符号化ビット数を確認する。  
【００７５】
または、事前処理した第１フィードバック情報のビット数を第１フィードバック情報の目標ビットレートで割り、小数点を切り捨てる。さらに、取得した値をＰＵＣＣＨにおける第１フィードバック情報を伝送する符号化ビット数とする。ここで、第１フィードバック情報の目標ビットレートは、ネットワーク側より設定できるかまたはプロトコル規定から確定できる。例えば、Ｘ＝［Ａ／ｒHARQ］、基地局は、ＵＥにＡＣＫ／ＮＡＣＫに対応するビットレートｒHARQを伝送することを通知する。Ｘは、ＰＵＣＣＨにおける第１フィードバック情報を伝送する符号化ビット数であり、Ａは事前処理した第１フィードバック情報のビット数である。  
【００７６】
好ましくは、ユーザー設備１０とネットワーク側設備２０は、情報の優先順位に基づき、一部の第２フィードバック情報を選択する。
具体的に、ユーザー設備１０とネットワーク側設備２０は、事前定義した優先順位に従い伝送待機の第２フィードバック情報から優先順位の高い情報を選択し、事前処理後の第１フィードバック情報と同時伝送する。また、選択した第２フィードバック情報のビット数は、伝送できる第２フィードバック情報のビット数以下である。具体的な選択方法と判断方法１における選択方法は、類似しているため、ここでは説明を繰り返さない。  
【００７７】
前記判断方法におけるいずれを用いようとも、ユーザー設備１０は、第２フィードバック情報と事前処理した第１フィードバック情報を同時伝送すると確認後、それぞれ第２フィードバック情報と事前処理した第１フィードバック情報を独立符号化後に伝送できる。これに応じて、ネットワーク側設備２０は、それぞれ第２フィードバック情報と事前処理した第１フィードバック情報を独立復号する。  
【００７８】
または、ユーザー設備１０は、第２フィードバック情報と事前処理した第１フィードバック情報を共同符号化後に伝送する。これに応じて、ネットワーク側設備２０は、第２フィードバック情報と事前処理した第１フィードバック情報を共同復号する。  
【００７９】
ここで、本発明に係るネットワーク側設備は、基地局（例えばマクロ基地局、ファミリー基地局等）でもよく、ＲＮ（中継）設備でもよく、さらに他のネットワーク側設備でもよい。  
【００８０】
同一の発明構想により、本発明に係る実施形態は、ネットワーク側設備、ユーザー設備、フィードバック情報の送信方法およびフィードバック情報の受信方法を提供する。これらの設備と方法が問題を解決する原理と本発明の実施形態フィードバック情報の伝送システムは類似しているため、これらの設備と方法の実施については、システムの実施を参照できる。よって重複する点はここでは説明を繰り返さない。  
【００８１】
図５に示す本発明に係るユーザー設備は、第１確認モジュール５００と送信モジュール５１０とを備える。
【００８２】
前記第１確認モジュール５００は、第２フィードバック情報周期報告サブフレームにおける第１フィードバック情報に対応するＰＵＣＣＨリソースを確認する。  
【００８３】
送信モジュール５１０は、確認したＰＵＣＣＨリソースに基づき、伝送しなければならない、第１フィードバック情報を含むフィードバック情報を確認し、かつ第１フィードバック情報に対応するＰＵＣＣＨリソースにより伝送する。  
【００８４】
好ましくは、第１確認モジュール５００は、ネットワーク側が設定した第１フィードバック情報伝送モードおよび受信したダウンリンクデータに基づき、第１フィードバック情報に対応するＰＵＣＣＨリソース確認する。  
【００８５】
好ましくは、送信モジュール５１０は、もし第１フィードバック情報に対応するＰＵＣＣＨリソースが大容量ＰＵＣＣＨに用いるリソースであれば、伝送しなければならない第１フィードバック情報と伝送しなければならない第２フィードバック情報を確認する。  
【００８６】
ここで、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを含む。  
【００８７】
好ましくは、送信モジュール５１０は、もし第１フィードバック情報に対応するＰＵＣＣＨリソースが小容量ＰＵＣＣＨに用いるリソース、またはＰＵＣＣＨフォーマット１ｂに基づくチャネル選択方法を用いて第１フィードバック情報を伝送するならば、伝送しなければならない第１フィードバック情報を確認する。  
【００８８】
ここで、小容量ＰＵＣＣＨは、ＰＵＣＣＨフォーマット１ａまたはＰＵＣＣＨフォーマット１ｂを含む。  
【００８９】
好ましくは、送信モジュール５１０は、伝送しなければならない第１フィードバック情報と伝送しなければならない第２フィードバック情報を確認する前に、ネットワーク側の設定に基づき、第１フィードバック情報と第２フィードバック情報を同時伝送できると確認する。  
【００９０】
好ましくは、送信モジュール５１０は、第１フィードバック情報と第２フィードバック情報を同時送信する前に、第１フィードバック情報を事前処理する。  
【００９１】
好ましくは、送信モジュール５１０は、ネットワーク側設定またはプロトコル規定に基づき、第１フィードバック情報を事前処理しなければならないと確認する。  
【００９２】
好ましくは、送信モジュール５１０は具体的に、もし第２フィードバック情報のビット数と事前処理した第１フィードバック情報のビット数の和が閾値以下であれば、第２フィードバック情報と事前処理した第１フィードバック情報を同時伝送するか、もし第２フィードバック情報のビット数と事前処理した第１フィードバック情報のビット数の和が閾値以上であれば、第１フィードバック情報のみを、または一部の第２フィードバック情報と事前処理した第１フィードバック情報を伝送する。
【００９３】
ここで、一部の第２フィードバック情報のビット数と事前処理した第１フィードバック情報のビット数の和は、閾値以下である。
【００９４】
ここで、閾値は、ネットワーク側設定またはプロトコル規定により確認される。
【００９５】
好ましくは、送信モジュール５１０は具体的に、もし第２フィードバック情報を伝送しなければならないビット数が伝送できる第２フィードバック情報のビット数以下であれば、第２フィードバック情報と事前処理した第１フィードバック情報を同時伝送するか、もし第２フィードバック情報を伝送しなければならないビット数が伝送できる第２フィードバック情報のビット数より大きければ、第１フィードバック情報のみを伝送するか、または一部の第２フィードバック情報と事前処理した第１フィードバック情報を伝送する。ここで、一部の第２フィードバック情報のビット数は伝送できる第２フィードバック情報のビット数以下である。  
【００９６】
好ましくは、送信モジュール５１０は、以下のステップに基づき、第２フィードバック情報を伝送できるビット数を確認する。
【００９７】
送信モジュール５１０は、ネットワーク側の設定またはプロトコル規定に基づき、第２フィードバック情報を伝送できるビット数を確認するか、または、ＰＵＣＣＨにおいて、第２フィードバック情報を伝送する符号化ビット数を、第２フィードバック情報を伝送できるビット数とするか、または、ＰＵＣＣＨにおいて、第２フィードバック情報を伝送する符号化ビット数と第２フィードバック情報の目標ビットレートの積を、第２フィードバック情報を伝送できるビット数とする。ここで、第２フィードバック情報の目標ビットレートは、ネットワーク側設定またはプロトコル規定により確認される。  
【００９８】
好ましくは、送信モジュール５１０は以下のステップに基づき、ＰＵＣＣＨにおいて第２フィードバック情報を伝送する符号化ビット数を確認する。  
【００９９】
ＰＵＣＣＨにおいて情報を伝送する総符号化ビット数とＰＵＣＣＨにおいて第１フィードバック情報を伝送する符号化ビット数の差を、ＰＵＣＣＨにおいて第２フィードバック情報を伝送する符号化ビット数とする。  
【０１００】
好ましくは、送信モジュール５１０は以下のステップに基づき、ＰＵＣＣＨにおいて第１フィードバック情報を伝送する符号化ビット数を確認する。
【０１０１】
ネットワーク側の設定またはプロトコル規定に基づき、ＰＵＣＣＨにおいて第１フィードバック情報を伝送する符号化ビット数を確認するか、または、事前処理した第１フィードバック情報のビット数を、第１フィードバック情報の目標ビットレートで割り、小数点を切り捨てる。さらに、取得した値をＰＵＣＣＨにおいて第１フィードバック情報を伝送する符号化ビット数とする。ここで、第１フィードバック情報の目標ビットレートは、ネットワーク側設定またはプロトコル規定により確認される。  
【０１０２】
好ましくは、送信モジュール５１０は、以下のステップに基づき、伝送しなければならない一部の第２フィードバック情報を選択する。
【０１０３】
情報の優先順位に基づき、一部の第２フィードバック情報を選択する。  
【０１０４】
好ましくは、送信モジュール５１０は、それぞれ第２フィードバック情報と事前処理した第１フィードバック情報を独立符号化後に伝送する。または、第２フィードバック情報と事前処理した第１フィードバック情報を共同符号化後に伝送する。  
【０１０５】
好ましくは、送信モジュール５１０は、第１フィードバック情報のみを伝送する際に、事前処理していない第１フィードバック情報を伝送する。図６に示す本発明に係るネットワーク側設備は、第２確認モジュール６００と受信モジュール６１０とを備える。
【０１０６】
前記第２確認モジュール６００は、第２フィードバック情報周期報告サブフレームにおける第１フィードバック情報に対応するＰＵＣＣＨリソースに基づき、ユーザー設備が送信しなければならないフィードバック情報タイプを確認する。  
【０１０７】
前記受信モジュール６１０は、確認したフィードバック情報タイプに基づき、確認したＰＵＣＣＨリソース上でユーザー設備が送信したフィードバック情報を受信する。  
【０１０８】
好ましくは、第２確認モジュール６００は、ユーザー設備に設定する第１フィードバック情報伝送モードおよびユーザー設備へ送信したダウンリンクデータに基づき、第１フィードバック情報に対応するＰＵＣＣＨリソース確認する。  
【０１０９】
好ましくは、第２確認モジュール６００は、もし第１フィードバック情報に対応するＰＵＣＣＨリソースが大容量ＰＵＣＣＨに用いるリソースであれば、ユーザー設備が送信しなければならないフィードバック情報タイプに第１フィードバック情報を含むことを確認する。  
【０１１０】
ここで、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備える。  
【０１１１】
好ましくは、第２確認モジュール６００は具体的に、もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するならば、ユーザー設備が送信しなければならないフィードバック情報タイプに第１フィードバック情報のみを含むことを確認する。  
【０１１２】
ここで、小容量ＰＵＣＣＨは、ＰＵＣＣＨフォーマット１ａまたはＰＵＣＣＨフォーマット１ｂを備える。
【０１１３】
好ましくは、第２確認モジュール６００は、ユーザー設備が第１フィードバック情報と第２フィードバック情報を同時伝送できるように設定する。            
【０１１４】
好ましくは、第２確認モジュール６００が、ユーザー設備が第１フィードバック情報と第２フィードバック情報を同時送信しなければならないと確認する際に、ユーザー設備は第１フィードバック情報を事前処理すると確認する。  
【０１１５】
好ましくは、第２確認モジュール６００は具体的に、もし第２フィードバック情報のビット数と事前処理した第１フィードバック情報のビット数の和が閾値以下であれば、ユーザー設備は第１フィードバック情報のみを、またユーザー設備は第２フィードバック情報と事前処理した第１フィードバック情報を同時伝送すると確認するか、もし第２フィードバック情報のビット数と事前処理した第１フィードバック情報のビット数の和が閾値より大きければ、ユーザー設備は第１フィードバック情報のみを、または一部の第２フィードバック情報と事前処理した第１フィードバック情報を伝送すると確認する。
【０１１６】
ここで、一部の第２フィードバック情報のビット数と事前処理した第１フィードバック情報のビット数の和が閾値以下である。
【０１１７】
前記閾値は、ネットワーク側設定またはプロトコル規定により確認される。  
【０１１８】
好ましくは、第２確認モジュール６００は具体的に、もし第２フィードバック情報を伝送しなければならないビット数が伝送できる第２フィードバック情報のビット数以下であれば、ユーザー設備は第２フィードバック情報と事前処理した第１フィードバック情報を同時伝送すると確認するか、もし第２フィードバック情報を伝送しなければならないビット数が伝送できる第２フィードバック情報のビット数より大きければ、ユーザー設備は第１フィードバック情報のみを伝送するか、または一部の第２フィードバック情報と事前処理した第１フィードバック情報を伝送すると確認する。
ここで、一部の第２フィードバック情報のビット数は、伝送できる第２フィードバック情報のビット数以下である。  
【０１１９】
好ましくは、第２確認モジュール６００は以下のステップに基づき、第２フィードバック情報を伝送できるビット数を確認する。
【０１２０】
ネットワーク側の設定またはプロトコル規定に基づき、第２フィードバック情報を伝送できるビット数を確認する。  
【０１２１】
または、ＰＵＣＣＨにおいて第２フィードバック情報を伝送する符号化ビット数を、第２フィードバック情報を伝送できるビット数とする。  
【０１２２】
または、ＰＵＣＣＨにおいて第２フィードバック情報を伝送する符号化ビット数と第２フィードバック情報の目標ビットレートの積を、第２フィードバック情報を伝送できるビット数とする。
ここで、第２フィードバック情報の目標ビットレートは、ネットワーク側の設定またはプロトコル規定により確認される。  
【０１２３】
好ましくは、第２確認モジュール６００は、以下のステップに基づき、ＰＵＣＣＨにおける第２フィードバック情報を伝送する符号化ビット数を確認する。  
【０１２４】
ＰＵＣＣＨにおいて情報を伝送する総符号化ビット数とＰＵＣＣＨにおいて第１フィードバック情報を伝送する符号化ビット数の差を、ＰＵＣＣＨにおいて第２フィードバック情報を伝送する符号化ビット数とする。  
【０１２５】
好ましくは、第２確認モジュール６００は、以下のステップに基づき、ＰＵＣＣＨにおいて第１フィードバック情報を伝送する符号化ビット数を確認する。
【０１２６】
ネットワーク側の設定またはプロトコル規定に基づき、ＰＵＣＣＨにおいて第１フィードバック情報を伝送する符号化ビット数を確認する。  
【０１２７】
または、事前処理した第１フィードバック情報のビット数を第１フィードバック情報の目標ビットレートで割り、小数点を切り捨てる。さらに、取得した値をＰＵＣＣＨにおいて第１フィードバック情報を伝送する符号化ビット数とする。ここで、第１フィードバック情報の目標ビットレートは、ネットワーク側設定またはプロトコル規定により確認される。  
【０１２８】
好ましくは、第２確認モジュール６００は以下のステップに基づき、伝送しなければならない一部の第２フィードバック情報を選択し、情報の優先順位に基づき一部の第２フィードバック情報を選択する。  
【０１２９】
好ましくは、第２確認モジュール６００は、ユーザー設備が第１フィードバック情報のみを伝送すると確認する際、ユーザー設備が事前処理していない第１フィードバック情報を伝送すると確認する。  
【０１３０】
図７に示す本発明の実施形態フィードバック情報の送信方法は、以下のステップ７０１とステップ７０２を備える。  
【０１３１】
ステップ７０１において、ユーザー設備が、第２フィードバック情報周期報告サブフレームにおける第１フィードバック情報に対応するＰＵＣＣＨリソースを確認する。  
【０１３２】
ステップ７０２において、ユーザー設備が、確認したＰＵＣＣＨリソースに基づき、伝送しなければならない、第１フィードバック情報を含むフィードバック情報を確認し、かつ第１フィードバック情報に対応するＰＵＣＣＨリソースにより伝送する。  
【０１３３】
好ましくは、ステップ７０１において、ユーザー設備は、ネットワーク側が設定した第１フィードバック情報伝送モードおよび受信したダウンリンクデータに基づき、第１フィードバック情報に対応するＰＵＣＣＨリソースを確認する。  
【０１３４】
好ましくは、ステップ７０２において、もし第１フィードバック情報に対応するＰＵＣＣＨリソースが大容量ＰＵＣＣＨに用いるリソースであれば、ユーザー設備が伝送しなければならない第１フィードバック情報と伝送しなければならない第２フィードバック情報を確認する。
【０１３５】
ここで、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備える。  
【０１３６】
好ましくは、ステップ７０２において、もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するのであれば、伝送しなければならない第１フィードバック情報を確認する。
【０１３７】
ここで、小容量ＰＵＣＣＨは、ＰＵＣＣＨフォーマット１ａまたはＰＵＣＣＨフォーマット１ｂを備える。
【０１３８】
好ましくは、ステップ７０２において、ユーザー設備が伝送しなければならない第１フィードバック情報と伝送しなければならない第２フィードバック情報を確認する前に、ネットワーク側の設定に基づき、第１フィードバック情報と第２フィードバック情報を同時伝送できると確認する。  
【０１３９】
好ましくは、ステップ７０２において、ユーザー設備は、第１フィードバック情報と第２フィードバック情報を同時送信する前に、第１フィードバック情報を事前処理する。  
【０１４０】
好ましくは、ステップ７０２において、ユーザー設備は、第１フィードバック情報を事前処理する前に、ネットワーク側設定またはプロトコル規定に基づき、第１フィードバック情報を事前処理しなければならないと確認する。  
【０１４１】
好ましくは、ステップ７０２において、もし第２フィードバック情報のビット数と事前処理した第１フィードバック情報のビット数の和が閾値以下であれば、ユーザー設備は第２フィードバック情報と事前処理した第１フィードバック情報を同時伝送する。
【０１４２】
もし第２フィードバック情報のビット数と事前処理した第１フィードバック情報のビット数の和が閾値より大きければ、ユーザー設備は第１フィードバック情報のみを、または一部の第２フィードバック情報と事前処理した第１フィードバック情報を伝送する。
ここで、一部の第２フィードバック情報のビット数と事前処理した第１フィードバック情報のビット数の和は閾値以下である。
【０１４３】
閾値は、ネットワーク側設定またはプロトコル規定により確認される。  
【０１４４】
好ましくは、ステップ７０２において、もし第２フィードバック情報を伝送しなければならないビット数が伝送できる第２フィードバック情報のビット数以下であれば、ユーザー設備は、第２フィードバック情報と事前処理した第１フィードバック情報を同時伝送する。
【０１４５】
もし第２フィードバック情報を伝送しなければならないビット数が伝送できる第２フィードバック情報のビット数より大きければ、ユーザー設備は第１フィードバック情報のみを伝送するか、または一部の第２フィードバック情報と事前処理した第１フィードバック情報を伝送する。
ここで、一部の第２フィードバック情報のビット数は、伝送できる第２フィードバック情報のビット数以下である。  
【０１４６】
好ましくは、ユーザー設備は、以下のステップに基づき、第２フィードバック情報を伝送できるビット数を確認する。
【０１４７】
ユーザー設備はネットワーク側の設定またはプロトコル規定に基づき、第２フィードバック情報を伝送できるビット数を確認する。
【０１４８】
または、ユーザー設備は、ＰＵＣＣＨにおいて第２フィードバック情報を伝送する符号化ビット数を、第２フィードバック情報を伝送できるビット数とする。  
【０１４９】
または、ユーザー設備は，ＰＵＣＣＨにおける、第２フィードバック情報を伝送する符号化ビット数と第２フィードバック情報の目標ビットレートの積を、第２フィードバック情報を伝送できるビット数とする。ここで、第２フィードバック情報の目標ビットレートは、ネットワーク側設定またはプロトコル規定により確認される。  
【０１５０】
好ましくは、ユーザー設備は、以下のステップに基づき、ＰＵＣＣＨにおける、第２フィードバック情報を伝送する符号化ビット数を確認する。
【０１５１】
ユーザー設備は、ＰＵＣＣＨにおける情報を伝送する総符号化ビット数とＰＵＣＣＨにおける第１フィードバック情報を伝送する符号化ビット数の差を、ＰＵＣＣＨにおける、第２フィードバック情報を伝送する符号化ビット数とする。  
【０１５２】
好ましくは、ユーザー設備は、以下のステップに基づき、ＰＵＣＣＨにおける、第１フィードバック情報を伝送する符号化ビット数を確認する。
【０１５３】
ユーザー設備は、ネットワーク側の設定またはプロトコル規定に基づき、ＰＵＣＣＨにける、第１フィードバック情報を伝送する符号化ビット数を確認する。  
【０１５４】
または、ユーザー設備は、事前処理した第１フィードバック情報のビット数を第１フィードバック情報の目標ビットレートで割り、小数点を切り捨てる。さらに、取得した値を、ＰＵＣＣＨにおいて第１フィードバック情報を伝送する符号化ビット数とする。
ここで、第１フィードバック情報の目標ビットレートは、ネットワーク側設定またはプロトコル規定により確認される。  
【０１５５】
好ましくは、ユーザー設備は、以下のステップに基づき、伝送しなければならない一部の第２フィードバック情報を選択する。
【０１５６】
ユーザー設備は、情報の優先順位に基づき、一部の第２フィードバック情報を選択する。  
【０１５７】
好ましくは、ステップ７０２において、ユーザー設備は、それぞれ第２フィードバック情報と事前処理した第１フィードバック情報を独立符号化後に伝送する。  
【０１５８】
または、ユーザー設備は、第２フィードバック情報と事前処理した第１フィードバック情報を共同符号化後に伝送する。  
【０１５９】
好ましくは、ステップ７０２において、もし第１フィードバック情報のみを伝送するならば、ユーザー設備は事前処理していない第１フィードバック情報を伝送する。  
【０１６０】
図８に示す本発明に係るフィードバック情報の受信方法は、以下のステップ８０１とステップ８０２を備える。
【０１６１】
ステップ８０１において、ネットワーク側設備は、第２フィードバック情報周期報告サブフレームにおける第１フィードバック情報に対応するＰＵＣＣＨリソースに基づき、ユーザー設備が送信しなければならないフィードバック情報タイプを確認する。
【０１６２】
ステップ８０２において、ネットワーク側設備は、確認したフィードバック情報タイプに基づき、確認したＰＵＣＣＨリソース上でユーザー設備が送信したフィードバック情報を受信する。  
【０１６３】
好ましくは、ステップ８０１において、ネットワーク側設備は、ユーザー設備に設定する第１フィードバック情報伝送モードおよびユーザー設備へ送信したダウンリンクデータに基づき、第１フィードバック情報に対応するＰＵＣＣＨリソース確認する。  
【０１６４】
好ましくは、ステップ８０１において、もし第１フィードバック情報に対応するＰＵＣＣＨリソースが大容量ＰＵＣＣＨに用いるリソースであれば、ネットワーク側設備は、ユーザー設備が送信しなければならないフィードバック情報タイプに第１フィードバック情報を含むことを確認する。
【０１６５】
ここで、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備える。
【０１６６】
好ましくは、ステップ８０１において、もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するのであれば、ネットワーク側設備は、ユーザー設備が送信しなければならないフィードバック情報タイプに第１フィードバック情報のみを含むことを確認する。
【０１６７】
ここで、小容量ＰＵＣＣＨは、ＰＵＣＣＨフォーマット１ａまたはＰＵＣＣＨフォーマット１ｂを備える。  
【０１６８】
好ましくは、ステップ８０１において、ネットワーク側設備は、確認したＰＵＣＣＨリソースに基づき、ユーザー設備のフィードバック情報内容を確認する前に、ユーザー設備が第１フィードバック情報と第２フィードバック情報を同時伝送できるように設定する。      
【０１６９】
好ましくは、ネットワーク側設備は、ユーザー設備が第１フィードバック情報と第２フィードバック情報を同時送信しなければならないと確認する際に、  ユーザー設備が第１フィードバック情報を事前処理すると確認する。  
【０１７０】
好ましくは、ネットワーク側設備は、ユーザー設備が送信したフィードバック情報を受信する前に、もし第２フィードバック情報のビット数と事前処理した第１フィードバック情報のビット数の和が閾値以下であれば、ネットワーク側設備は、ユーザー設備が第２フィードバック情報と事前処理した第１フィードバック情報を同時伝送すると確認する。  
【０１７１】
もし第２フィードバック情報のビット数と事前処理した第１フィードバック情報のビット数の和が閾値以上であれば、ネットワーク側設備は、ユーザー設備が第１フィードバック情報のみを伝送するか、または一部の第２フィードバック情報と事前処理した第１フィードバック情報を伝送すると確認するステップとを備える。
【０１７２】
ここで、一部の第２フィードバック情報のビット数と事前処理した第１フィードバック情報のビット数の和は閾値以下である。  
【０１７３】
ここで、閾値は、ネットワーク側設定またはプロトコル規定により確認される。  
【０１７４】
好ましくは、ネットワーク側設備は、ユーザー設備が送信したフィードバック情報を受信する前に、もし第２フィードバック情報を伝送しなければならないビット数が伝送できる第２フィードバック情報のビット数以下であれば、ネットワーク側設備は、ユーザー設備が第２フィードバック情報と事前処理した第１フィードバック情報を同時伝送すると確認する。  
【０１７５】
もし第２フィードバック情報を伝送しなければならないビット数が伝送できる第２フィードバック情報のビット数より大きければ、ネットワーク側は、設備ユーザー設備が第１フィードバック情報のみを、または一部の第２フィードバック情報と事前処理した第１フィードバック情報を伝送すると確認する。
【０１７６】
ここで、一部の第２フィードバック情報のビット数は、伝送できる第２フィードバック情報のビット数以下である。  
【０１７７】
好ましくは、ステップ８０１において、ネットワーク側設備は以下のステップに基づき、第２フィードバック情報を伝送できるビット数を確認する。
【０１７８】
ネットワーク側設備は、ネットワーク側の設定またはプロトコル規定に基づき、第２フィードバック情報を伝送できるビット数を確認する。  
【０１７９】
または、ネットワーク側設備は、ＰＵＣＣＨにおいて第２フィードバック情報を伝送する符号化ビット数を、第２フィードバック情報を伝送できるビット数とする。  
【０１８０】
または、ネットワーク側設備は、ＰＵＣＣＨにおける、第２フィードバック情報を伝送する符号化ビット数と第２フィードバック情報の目標ビットレートの積を、第２フィードバック情報を伝送できるビット数とする。
ここで、第２フィードバック情報の目標ビットレートは、ネットワーク側設定またはプロトコル規定により確認される。  
【０１８１】
好ましくは、ステップ８０１において、ネットワーク側設備は、以下のステップに基づき、ＰＵＣＣＨにおける、第２フィードバック情報を伝送する符号化ビット数を確認する。
【０１８２】
ネットワーク側設備は、ＰＵＣＣＨにおける情報を伝送する総符号化ビット数とＰＵＣＣＨにおける第１フィードバック情報を伝送する符号化ビット数の差を、ＰＵＣＣＨにおいて第２フィードバック情報を伝送する符号化ビット数とする。  
【０１８３】
好ましくは、ステップ８０１において、ネットワーク側設備は、以下のステップに基づき、ＰＵＣＣＨにおける、第１フィードバック情報を伝送する符号化ビット数を確認する。
【０１８４】
ネットワーク側設備は、ネットワーク側の設定またはプロトコル規定に基づき、ＰＵＣＣＨにおける、第１フィードバック情報を伝送する符号化ビット数を確認する。
【０１８５】
または、ネットワーク側設備は、事前処理した第１フィードバック情報のビット数を第１フィードバック情報の目標ビットレートで割り、小数点を切り捨てる。さらに、取得した値をＰＵＣＣＨにおける、第１フィードバック情報を伝送する符号化ビット数とする。
ここで、第１フィードバック情報の目標ビットレートは、ネットワーク側設定またはプロトコル規定により確認される。  
【０１８６】
好ましくは、ステップ８０１において、ネットワーク側設備は、以下のステップに基づき、伝送しなければならない一部の第２フィードバック情報を選択する。ネットワーク側設備情報の優先順位に基づき、一部の第２フィードバック情報を選択する。  
【０１８７】
好ましくは、ネットワーク側設備は、ユーザー設備が送信したフィードバック情報を受信する前に、ユーザー設備が第１フィードバック情報のみを伝送すると確認する際に、ユーザー設備が事前処理していない第１フィードバック情報を伝送すると確認する。  
【０１８８】
ここで、図７と図８は１つのフローに合併し、フィードバック情報の伝送方法を構成することができる。即ち、先にステップ７０１とステップ７０２を実行し、さらにステップ８０２を実行する。ここで、ステップ８０１は、ステップ７０１とステップ７０２とは必然的なシーケンス関係はなく、ステップ８０２の前であることのみを保証すればよい。  
【０１８９】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１９０】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１９１】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１９２】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１９３】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１９４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。 
【誤訳訂正２】
【訂正対象書類名】特許請求の範囲
【訂正対象項目名】全文
【訂正方法】変更
【訂正の内容】
【特許請求の範囲】
【請求項１】
ユーザー設備が、第２フィードバック情報周期報告サブフレームにおける、第１フィードバック情報に対応する物理アップリンク制御チャネルＰＵＣＣＨリソースを確認するステップと、  
前記ユーザー設備が、確認したＰＵＣＣＨリソースに基づき、伝送しなければならない第１フィードバック情報を含むフィードバック情報を確認し、かつ前記第１フィードバック情報に対応するＰＵＣＣＨリソースにより伝送するステップとを備えることを特徴とするフィードバック情報の伝送方法。  
【請求項２】
前記ユーザー設備がＰＵＣＣＨリソースを確認するステップは、
前記ユーザー設備が、ネットワーク側が設定した第１フィードバック情報伝送モードおよび受信したダウンリンクデータに基づき、第１フィードバック情報に対応するＰＵＣＣＨリソースを確認することを備えることを特徴とする請求項１に記載のフィードバック情報の伝送方法。  
【請求項３】
前記ユーザー設備が伝送しなければならないフィードバック情報を確認するステップは、  
もし第１フィードバック情報に対応するＰＵＣＣＨリソースが大容量ＰＵＣＣＨに用いるリソースであれば、前記ユーザー設備が、伝送しなければならない第１フィードバック情報と伝送しなければならない第２フィードバック情報を確認することを備え、  
前記大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備えることを特徴とする請求項１に記載のフィードバック情報の伝送方法。  
【請求項４】
前記ユーザー設備が伝送しなければならないフィードバック情報を確認するステップは、
もし第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するならば、伝送しなければならない第１フィードバック情報を確認することを備え、
前記小容量ＰＵＣＣＨは、ＰＵＣＣＨフォーマット１ａまたはＰＵＣＣＨフォーマット１ｂを備えることを特徴とする請求項１に記載のフィードバック情報の伝送方法。  
【請求項５】
前記ユーザー設備が、伝送しなければならない第１フィードバック情報と伝送しなければならない第２フィードバック情報を確認する前に、  
前記ユーザー設備が、ネットワーク側の設定に基づき、ネットワーク側の設定に基づき、第１フィードバック情報と第２フィードバック情報を同時伝送できると確認するステップを備えることを特徴とする請求項１〜３のいずれかに記載のフィードバック情報の伝送方法。  
【請求項６】
前記ユーザー設備が、第１フィードバック情報と第２フィードバック情報を同時送信する前に、  
前記ユーザー設備が、第１フィードバック情報を事前処理するステップを備えることを特徴とする請求項３に記載のフィードバック情報の伝送方法。  
【請求項７】
前記ユーザー設備が、第１フィードバック情報を事前処理する前に、  
前記ユーザー設備が、ネットワーク側設定またはプロトコル規定に基づき、第１フィードバック情報を事前処理しなければならないと確認するステップを備えることを特徴とする請求項６に記載のフィードバック情報の伝送方法。
【請求項８】
前記ユーザー設備の伝送は、
もし第２フィードバック情報のビット数と事前処理した第１フィードバック情報のビット数の和が閾値以下であれば、前記ユーザー設備が第２フィードバック情報と事前処理した第１フィードバック情報を同時伝送するステップと、  
もし第２フィードバック情報のビット数と事前処理した第１フィードバック情報のビット数の和が閾値より大きければ、前記ユーザー設備が、第１フィードバック情報のみを伝送するか、または一部の第２フィードバック情報と事前処理した第１フィードバック情報を伝送するステップとを備え、
前記一部の第２フィードバック情報のビット数と事前処理した第１フィードバック情報のビット数の和は、閾値以下であり、  
前記閾値は、ネットワーク側設定またはプロトコル規定により確認されることを特徴とする請求項６に記載のフィードバック情報の伝送方法。  
【請求項９】
前記ユーザー設備の伝送は、
もし第２フィードバック情報を伝送しなければならないビット数が伝送できる第２フィードバック情報のビット数以下であれば、前記ユーザー設備が、第２フィードバック情報と事前処理した第１フィードバック情報を同時伝送するステップと、  
もし第２フィードバック情報を伝送しなければならないビット数が伝送できる第２フィードバック情報のビット数より大きければ、前記ユーザー設備が、第１フィードバック情報のみを伝送するか、または一部の第２フィードバック情報と事前処理した第１フィードバック情報を伝送するステップとを備え、
前記一部の第２フィードバック情報のビット数は、伝送できる第２フィードバック情報のビット数以下であることを特徴とする請求項６に記載のフィードバック情報の伝送方法。  
【請求項１０】
前記ユーザー設備が、ネットワーク側の設定またはプロトコル規定に基づき、第２フィードバック情報を伝送できるビット数を確認するか、  
または、前記ユーザー設備が、ＰＵＣＣＨにおいて、第２フィードバック情報を伝送する符号化ビット数を、第２フィードバック情報を伝送できるビット数とするか、
または、前記ユーザー設備が、ＰＵＣＣＨにおける、第２フィードバック情報を伝送する符号化ビット数と第２フィードバック情報の目標ビットレートの積を、第２フィードバック情報を伝送できるビット数とし、
前記フィードバック情報の目標ビットレートは、ネットワーク側設定またはプロトコル規定により確認されることを特徴とする請求項９に記載のフィードバック情報の伝送方法。  
【請求項１１】
前記ユーザー設備は、ＰＵＣＣＨにおける情報を伝送する総符号化ビット数とＰＵＣＣＨにおける第１フィードバック情報を伝送する符号化ビット数の差を、ＰＵＣＣＨにおける、第２フィードバック情報を伝送する符号化ビット数とすることにより、ＰＵＣＣＨにおける、第２フィードバック情報を伝送する符号化ビット数を確認することを特徴とする請求項１０に記載のフィードバック情報の伝送方法。  
【請求項１２】
前記ユーザー設備が、ネットワーク側の設定またはプロトコル規定に基づき、ＰＵＣＣＨにおける、第１フィードバック情報を伝送する符号化ビット数を確認するか、  
または、前記ユーザー設備が、事前処理した第１フィードバック情報のビット数を第１フィードバック情報の目標ビットレートで割り、小数点を切り捨て、さらに、取得した値をＰＵＣＣＨにおける、第１フィードバック情報を伝送する符号化ビット数とし、
前記第１フィードバック情報の目標ビットレートは、ネットワーク側設定またはプロトコル規定により確認されることを特徴とする請求項１１に記載のフィードバック情報の伝送方法。  
【請求項１３】
前記ユーザー設備は、第２フィードバック情報の優先順位に基づき、一部の第２フィードバック情報を選択することにより、伝送しなければならない一部の第２フィードバック情報を選択することを特徴とする請求項８または９に記載のフィードバック情報の伝送方法。  
【請求項１４】
前記ユーザー設備が第２フィードバック情報と事前処理した第１フィードバック情報を同時伝送することは、  
前記ユーザー設備が、それぞれ第２フィードバック情報と事前処理した第１フィードバック情報を独立符号化後に伝送すること、または  
前記ユーザー設備が、第２フィードバック情報と事前処理した第１フィードバック情報を共同符号化後に伝送することを備えることを特徴とする請求項８または９に記載のフィードバック情報の伝送方法。  
【請求項１５】
前記ユーザー設備が第１フィードバック情報のみを伝送することは、  
前記ユーザー設備が事前処理していない第１フィードバック情報を伝送することを備えることを特徴とする請求項４、８および９のいずれかに記載のフィードバック情報の伝送方法。  
【請求項１６】
ネットワーク側設備が、第２フィードバック情報周期報告サブフレームにおける第１フィードバック情報に対応するＰＵＣＣＨリソースに基づき、ユーザー設備が送信しなければならないフィードバック情報タイプを確認するステップと、  
前記ネットワーク側設備が確認したフィードバック情報タイプに基づき、確認したＰＵＣＣＨリソース上で前記ユーザー設備が送信したフィードバック情報を受信するステップとを備えることを特徴とするフィードバック情報の伝送方法。  
【請求項１７】
前記ネットワーク側設備が、ユーザー設備に設定する第１フィードバック情報伝送モードおよび前記ユーザー設備へ送信したダウンリンクデータに基づき、第１フィードバック情報に対応するＰＵＣＣＨリソースを確認することを特徴とする請求項１６に記載のフィードバック情報の伝送方法。  
【請求項１８】
もし前記第１フィードバック情報に対応するＰＵＣＣＨリソースが大容量ＰＵＣＣＨに用いるリソースであれば、前記ネットワーク側設備が送信しなければならないフィードバック情報タイプに第１フィードバック情報を含み、  
前記、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備えることを特徴とする請求項１６に記載のフィードバック情報の伝送方法。  
【請求項１９】
第１フィードバック情報に対応するＰＵＣＣＨリソースが小容量ＰＵＣＣＨに用いるリソースまたはＰＵＣＣＨフォーマット１ｂに基づくチャネル選択方法を用いて第１フィードバック情報を伝送するならば、前記ネットワーク側設備が前記ユーザー設備が送信しなければならないフィードバック情報タイプに第１フィードバック情報のみを含み、
前記小容量ＰＵＣＣＨは、ＰＵＣＣＨフォーマット１ａまたはＰＵＣＣＨフォーマット１ｂとを備えることを特徴とする請求項１６に記載のフィードバック情報の伝送方法。  
【請求項２０】
前記ネットワーク側設備が確認したＰＵＣＣＨリソースに基づいて、ユーザー設備のフィードバック情報内容を確認する前に、  
前記ネットワーク側設備が、前記ユーザー設備が前記第１フィードバック情報と前記第２フィードバック情報を同時伝送できるように設定するステップを備えることを特徴とする請求項１６または１７に記載のフィードバック情報の伝送方法。  
【請求項２１】
前記ネットワーク側設備が、前記ユーザー設備が送信したフィードバック情報を受信する前に、  
前記ネットワーク側設備が、ユーザー設備が第１フィードバック情報と第２フィードバック情報を同時送信しなければならないと確認する際に、前記ユーザー設備が第１フィードバック情報を事前処理すると確認するステップを備えることを特徴とする請求項１８に記載のフィードバック情報の伝送方法。  
【請求項２２】
前記ネットワーク側設備が、前記ユーザー設備が送信したフィードバック情報を受信する前に、  
もし第２フィードバック情報のビット数と事前処理した第１フィードバック情報のビット数の和が閾値以下であれば、前記ネットワーク側設備が、前記ユーザー設備が第２フィードバック情報と事前処理した第１フィードバック情報を同時伝送すると確認するステップと、
もし第２フィードバック情報のビット数と事前処理した第１フィードバック情報のビット数の和が閾値より大きければ、前記ネットワーク側設備が、前記ユーザー設備が第１フィードバック情報のみを、または一部の第２フィードバック情報と事前処理した第１フィードバック情報を伝送すると確認するステップとを備え、
前記一部の第２フィードバック情報のビット数と事前処理した第１フィードバック情報のビット数の和が閾値以下であり、  
前記閾値は、ネットワーク側設定またはプロトコル規定により確認されることを特徴とする請求項２１に記載のフィードバック情報の伝送方法。  
【請求項２３】
前記ネットワーク側設備が、前記ユーザー設備が送信したフィードバック情報を受信する前に、  
もし第２フィードバック情報を伝送しなければならないビット数が伝送できる第２フィードバック情報のビット数以下であれば、前記ネットワーク側設備が、前記ユーザー設備が第２フィードバック情報と事前処理した第１フィードバック情報を同時伝送すると確認するステップと、
もし第２フィードバック情報を伝送しなければならないビット数が伝送できる第２フィードバック情報のビット数より大きければ、前記ネットワーク側設備が、前記ユーザー設備が第１フィードバック情報のみを、または一部の第２フィードバック情報と事前処理した第１フィードバック情報を伝送すると確認するステップとを備え、
前記一部の第２フィードバック情報のビット数は、伝送できる第２フィードバック情報のビット数以下であることを特徴とする請求項２１に記載のフィードバック情報の伝送方法。  
【請求項２４】
前記ネットワーク側設備が、ネットワーク側設定またはプロトコル規定に基づき、第２フィードバック情報を伝送できるビット数を確認するか、または  
前記ネットワーク側設備が、ＰＵＣＣＨにおいて第２フィードバック情報を伝送する符号化ビット数を、第２フィードバック情報を伝送できるビット数とするか、  
または、前記ネットワーク側設備が、ＰＵＣＣＨにおいて第２フィードバック情報を伝送する符号化ビット数と第２フィードバック情報の目標ビットレートの積を、第２フィードバック情報を伝送できるビット数とし、
前記第２フィードバック情報の目標ビットレートは、ネットワーク側設定またはプロトコル規定により確認されることを特徴とする請求項２３に記載のフィードバック情報の伝送方法。  
【請求項２５】
前記ネットワーク側設備が、ＰＵＣＣＨにおいて情報を伝送する総符号化ビット数とＰＵＣＣＨにおいて第１フィードバック情報を伝送する符号化ビット数の差を、ＰＵＣＣＨにおいて第２フィードバック情報を伝送する符号化ビット数とすることを特徴とする請求項２４に記載のフィードバック情報の伝送方法。  
【請求項２６】
前記ネットワーク側設備が、ネットワーク側の設定またはプロトコル規定に基づき、ＰＵＣＣＨにおいて第１フィードバック情報を伝送する符号化ビット数を確認するか、  
または、前記ネットワーク側設備が、事前処理した第１フィードバック情報のビット数を第１フィードバック情報の目標ビットレートで割り、小数点を切り捨て、さらに、取得した値をＰＵＣＣＨにおいて第１フィードバック情報を伝送する符号化ビット数とし、
第１フィードバック情報の目標ビットレートは、ネットワーク側設定またはプロトコル規定により確認されることを特徴とする請求項２５に記載のフィードバック情報の伝送方法。  
【請求項２７】
前記ネットワーク側設備が、第２フィードバック情報の優先順位に基づき一部の第２フィードバック情報を選択することにより伝送しなければならない一部の第２フィードバック情報を選択することを特徴とする請求項２２または２３に記載のフィードバック情報の伝送方法。  
【請求項２８】
前記ネットワーク側設備が、前記ユーザー設備が送信したフィードバック情報を受信する前に、
前記ネットワーク側設備が、ユーザー設備が第１フィードバック情報と第２フィードバック情報を同時送信しなければならないと確認する際に、前記ユーザー設備が事前処理していない第１フィードバック情報を伝送するステップを備えることを特徴とする請求項１９、２２および２３のいずれかに記載のフィードバック情報の伝送方法。  
【請求項２９】
第２フィードバック情報周期報告サブフレームにおける、第１フィードバック情報に対応するＰＵＣＣＨリソースを確認する、第１確認モジュールと、  
確認したＰＵＣＣＨリソースに基づき、伝送しなければならない第１フィードバック情報を含むフィードバック情報を確認し、かつ前記第１フィードバック情報に対応するＰＵＣＣＨリソースにより伝送する、送信モジュールとを備えることを特徴とするフィードバック情報を伝送するユーザー設備。  
【請求項３０】
前記第１確認モジュールは、
ネットワーク側が設定した第１フィードバック情報伝送モードおよび受信したダウンリンクデータに基づき、第１フィードバック情報に対応するＰＵＣＣＨリソースを確認することを特徴とする請求項２９に記載のフィードバック情報を伝送するユーザー設備。  
【請求項３１】
前記送信モジュールは、
もし第１フィードバック情報に対応するＰＵＣＣＨリソースが大容量ＰＵＣＣＨに用いるリソースであれば、伝送しなければならない第１フィードバック情報と伝送しなければならない第２フィードバック情報を確認し、  
前記、大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを含むことを特徴とする請求項２９に記載のフィードバック情報を伝送するユーザー設備。
【請求項３２】
前記送信モジュールは、
もし第１フィードバック情報に対応するＰＵＣＣＨリソースが小容量ＰＵＣＣＨに用いるリソース、またはＰＵＣＣＨフォーマット１ｂに基づくチャネル選択方法を用いて第１フィードバック情報を伝送するならば、伝送しなければならない第１フィードバック情報を確認し、
前記小容量ＰＵＣＣＨは、ＰＵＣＣＨフォーマット１ａまたはＰＵＣＣＨフォーマット１ｂを含むことを特徴とする請求項２９に記載のフィードバック情報を伝送するユーザー設備。  
【請求項３３】
前記送信モジュールは、
第１フィードバック情報と第２フィードバック情報を同時送信する前に、
第１フィードバック情報を事前処理することを特徴とする請求項３１に記載のフィードバック情報を伝送するユーザー設備。  
【請求項３４】
前記送信モジュールは、
もし第２フィードバック情報のビット数と事前処理した第１フィードバック情報のビット数の和が閾値以下であれば、第２フィードバック情報と事前処理した第１フィードバック情報を同時伝送し、
もし第２フィードバック情報のビット数と事前処理した第１フィードバック情報のビット数の和が閾値より大きければ、第１フィードバック情報のみを、または一部の第２フィードバック情報と事前処理した第１フィードバック情報を伝送し、
前記一部の第２フィードバック情報のビット数と事前処理した第１フィードバック情報のビット数の和は、閾値以下であり、  
前記閾値は、ネットワーク側設定またはプロトコル規定により確認されることを特徴とする請求項３３に記載のフィードバック情報を伝送するユーザー設備。  
【請求項３５】
前記送信モジュールは、
もし第２フィードバック情報を伝送しなければならないビット数が伝送できる第２フィードバック情報のビット数以下であれば、第２フィードバック情報と事前処理した第１フィードバック情報を同時伝送し、
もし第２フィードバック情報を伝送しなければならないビット数が伝送できる第２フィードバック情報のビット数より大きければ、第１フィードバック情報のみを伝送するか、または一部の第２フィードバック情報と事前処理した第１フィードバック情報を伝送し、
前記一部の第２フィードバック情報のビット数は、伝送できる第２フィードバック情報のビット数以下であることを特徴とする請求項３３に記載のフィードバック情報を伝送するユーザー設備。  
【請求項３６】
ネットワーク側設備であって、
第２フィードバック情報周期報告サブフレームにおける第１フィードバック情報に対応するＰＵＣＣＨリソースに基づき、ユーザー設備が送信しなければならないフィードバック情報タイプを確認する、第２確認モジュールと、  
確認したフィードバック情報タイプに基づき、確認したＰＵＣＣＨリソース上で前記ユーザー設備が送信したフィードバック情報を受信する、受信モジュールとを備えることを特徴とするフィードバック情報を伝送するネットワーク側設備。  
【請求項３７】
前記第２確認モジュールは、
ユーザー設備に設定した第１フィードバック情報伝送モードおよび受信したダウンリンクデータに基づき、第１フィードバック情報に対応するＰＵＣＣＨリソースを確認することを特徴とする請求項３６に記載のフィードバック情報を伝送するネットワーク側設備。
【請求項３８】
前記第２確認モジュールは、
もし前記第１フィードバック情報に対応するＰＵＣＣＨリソースが大容量ＰＵＣＣＨに用いるリソースであれば、前記ユーザー設備が送信しなければならないフィードバック情報タイプに第１フィードバック情報を含むことを確認し、  
前記大容量ＰＵＣＣＨは、ＰＵＣＣＨフォーマット２またはＰＵＣＣＨフォーマット３または伝達能力がＰＵＣＣＨフォーマット３伝達能力以上のＰＵＣＣＨフォーマットを備えることを特徴とする請求項３６に記載のフィードバック情報を伝送するネットワーク側設備。  
【請求項３９】
前記第２確認モジュールは、
もし前記第１フィードバック情報に対応するＰＵＣＣＨリソースが小容量ＰＵＣＣＨに用いるリソースであるか、または、第１フィードバック情報がＰＵＣＣＨフォーマット１ｂに基づくチャネル選択方法を用いて伝送されれば、ユーザー設備が送信しなければならないフィードバック情報タイプに第１フィードバック情報のみを含むことを確認し、  
前記小容量ＰＵＣＣＨは、ＰＵＣＣＨフォーマット１ａまたはＰＵＣＣＨフォーマット１ｂを備えることを特徴とする請求項３６に記載のフィードバック情報を伝送するネットワーク側設備。  
【請求項４０】
前記第２確認モジュールは、ユーザー設備が第１フィードバック情報と第２フィードバック情報を同時送信しなければならないと確認する際に、前記第２確認モジュールは、前記ユーザー設備が前記第１フィードバック情報を事前処理すると確認することを特徴とする請求項３８に記載のフィードバック情報を伝送するネットワーク側設備。  
【請求項４１】
前記第２確認モジュールは、
もし第２フィードバック情報のビット数と事前処理した第１フィードバック情報のビット数の和が閾値以下であれば、前記ユーザー設備が第２フィードバック情報と事前処理した第１フィードバック情報を同時伝送すると確認し、  
もし第２フィードバック情報のビット数と事前処理した第１フィードバック情報のビット数の和が閾値より大きければ、前記ユーザー設備が第１フィードバック情報のみを伝送するが、または一部の第２フィードバック情報と事前処理した第１フィードバック情報を伝送すると確認し、
前記一部の第２フィードバック情報のビット数と事前処理した第１フィードバック情報のビット数の和は、閾値以下であり、  
前記閾値は、ネットワーク側設定またはプロトコル規定により確認されることを特徴とする請求項４０に記載のフィードバック情報を伝送するネットワーク側設備。  
【請求項４２】
前記第２確認モジュールは、
もし第２フィードバック情報を伝送しなければならないビット数が伝送できる第２フィードバック情報のビット数以下であれば、前記ユーザー設備が第２フィードバック情報と事前処理した第１フィードバック情報を同時伝送すると確認し、
もし第２フィードバック情報を伝送しなければならないビット数が伝送できる第２フィードバック情報のビット数より大きければ、前記ユーザー設備が第１フィードバック情報のみを伝送するか、または一部の第２フィードバック情報と事前処理した第１フィードバック情報を伝送すると確認し、
前記一部の第２フィードバック情報のビット数は、伝送できる第２フィードバック情報のビット数以下であることを特徴とする請求項４０に記載のフィードバック情報を伝送するネットワーク側設備。  
【請求項４３】
第２フィードバック情報周期報告サブフレームにおける第１フィードバック情報に対応するＰＵＣＣＨリソースを確認し、確認したＰＵＣＣＨリソースに基づき、伝送しなければならない第１フィードバック情報を含むフィードバック情報を確認し、かつ前記第１フィードバック情報に対応するＰＵＣＣＨリソースにより伝送する、ユーザー設備と、
第２フィードバック情報周期報告サブフレームにおける第１フィードバック情報に対応するＰＵＣＣＨリソースに基づき、ユーザー設備が送信しなければならないフィードバック情報タイプを確認し、確認したフィードバック情報タイプに基づき確認したＰＵＣＣＨリソース上で前記ユーザー設備が送信したフィードバック情報を受信する、ネットワーク側設備とを備え、
前記フィードバック情報は第１フィードバック情報を含むことを特徴とするフィードバック情報の伝送システム。